(57)【要約】      （修正有）【課題】一台の車輪つき移動型器具で調理、煮炊き、洗い、給水、排水設備を備えて園芸作業ができるもので鉢植えの箱庭を設置して観賞できるカウンター、テーブルを兼ねた流し台を提供する。【解決手段】左右にスライドするカウンターテーブルを備え、カウンターテーブルに、調理台又は園芸作業台を設け、調理台又は園芸作業台の下に水受トレイを設け、かつ、水受トレイには流し台に水を流す排水口を設ける。カウンターテーブルには、取り外しできるコンロ、又は鉢植えを据えることが可能な部分を設け、カウンターテーブルの下に、流し台を設け、流し台に、簡易的給水接続できる給水栓を設け、流し台の下に、簡易的排水接続できる配水管と、排水タンクを設ける。【選択図】図２
0003163954.tif 000002
【実用新案登録請求の範囲】
【請求項１】
鉢植えなどの園芸作業ができる園芸台として使える、鉢植えをセットして観賞できるカウンター、テーブルとして機能する。コンロをセットして煮炊ができる調理台として使える。このカウンターは左右にスライドして開閉することができてこれを開くとシンクが現れて流し台として洗い場機能がある。給水は屋外屋内などの既設給水栓から簡易給水接続、排水は既設排水管に簡易排水接続が出来る、又は本体に設けたシンクの下の棚に簡易タンクを置いてこれに排水管を接続することも出来る、給排水配管を長くすることで移動して使用することが容易に出来る。この本体には車輪を装着してあり屋内屋外などを自由に移動できる。一台でこの様な多機能を備えていることを特徴とする移動式の流し台に関するものである。
【考案の詳細な説明】
【技術分野】
【０００１】  本考案は、鉢植えなどの園芸作業をする作業台が有り、植え込んだ鉢が据付できるスライド式カウンターを備えて簡易給水排水設備器具が有り調理台としても使用できる、カウンターを開くと洗い場になり、車輪がついていて移動できる流し台に関するものである。また鉢植え据付け位置に煮炊き用コンロを据えかえることも出来る。製作用の材料は、例えば、ステンレス、鉄鋼、木材、プラスチック、陶器などを用いる。
【背景技術】
【０００２】  園芸や調理の機能、室内と屋外の庭での作業や楽しみ方などには道具も別々に用意して使われている、又そのためのスペースも必要となる。狭い住宅の屋内と屋外をつないで有効に使われていない。植物を屋内ではよい状態を保って育成できない。
【考案の概要】
【考案が解決しようとする課題】
【０００３】  狭い住宅事情でガーデンパーティや室内に植物を置いて楽しみたい、調理と園芸を屋内でも屋外〈庭〉でも快適に行いたい、部屋の中で植物に水やりが難しい、アパート、マンションなどの狭いベランダで園芸や食事などを楽しみたい、スペースをとらずに一台でこれらを解決する機能を持つことが必要とされる、切り花は長くもたない、根のついた植物を屋内で育成させる、植物に太陽をあてる。
【課題を解決するための手段】
【０００４】  スペースを取らずに一台で多機能を持たせる、この多機能とは調理台が車輪の着装で自由に屋内外を移動できる、園芸作業台としても使用できる、植物の水やりもシンクを通して排水できる。コンロが取りつく、給水と排水ができる、コンロを使わない時には取り外し、そこにプランタボックスの鉢植えをセットしてコンテナガーデンができる、植物を太陽のあたる場所に容易に移動できる、この機能を持つものを作ることで解決できる。
【考案の効果】
【０００５】  スペースをとらない。屋内と屋外の両方で使えて楽しめる。車付きで出し入れが出来るので鉢植えの植物を窓辺や屋外に出して太陽を与えることが容易に出来るため植物を状態良く生育させることができる。給排水が屋内外で手軽に使える、プランタ植木の水やりもシンクに流れるシステムで部屋の中でも安心して散水できる、流しや調理、園芸作業台、コンロを使わないときはプランタボックスの鉢植えをセットしたカウンター、テーブルとなるため邪魔にならず日常で楽しめる。用途に合せてカウンターを開閉でき機能とサイズの調整も可能で戸建、マンション、アパートでも使用できる、これらの結果屋内でも植物の光合成とフィトンチッド（気を発する）などにより健康に繋がる。ホテルなどの施設用はこれの大型のものも利用することによりこの効果も大きくなる。屋内外で植込みを囲んだテーブルとしても利用できる。
【図面の簡単な説明】
【０００６】
【図１】本考案のガーデニングスライドキッチンの一実施例を示す平面図である。
【図２】本考案のガーデニングスライドキッチンのスライドを開いた正面図である。
【図３】本考案のガーデニングスライドキッチンのスライドを閉めた平面図である。
【図４】本考案のガーデニングスライドキッチンのスライドを閉めた正面図である。
【図５】本考案のガーデニングスライドキッチンのコンロもプランタ（鉢植え）も据えていない又調理台、園芸台をはずした、スライドを開いた平面図である。
【図６】本考案のガーデニングスライドキッチンの右側面図である。
【考案を実施するための形態】
【０００７】カウンター部分は調理台としても鉢植えなどの園芸作業台としても使う、コンロを取り付けた状態ではここで煮炊きする、園芸台で作った鉢植えはコンロを取り外してはめ込んで鉢植えの箱庭景観を楽しむ。調理台とコンロ又はプランタボックスの鉢植えがセットされたカウンターを左右に開くと流し（洗い場）が現れてここで洗いものができる。給水排水は既設の給水栓、排水口と簡易に接続して使う。本体に載せて移動が可能な簡易排水タンクとの接続をして使う。屋内屋外を車輪を使って自由に移動する。
【符号の説明】
【０００８】  １本体脚部
２左スライドカウンター
３右スライドカウンター
４本体流し台
５水受トレイ（お盆状の水受皿）
６コンロ、プランタ（植木鉢）の取付枠
７コンロ
８調理台
９給水栓
１０流し台排水
１１流し台配水管
１２簡易排水タンク
１３棚
１４左流し台（シンク）
１５右流し台（シンク）
１６車輪
１７キャスター（回転式車輪）
１８簡易給水接続部
１９移動用手掛け
２０トレイ排水口
２１プランタボックス（鉢）
２２プランタボックス排水口
２３園芸台
２４植木
【図１】
0003163954.tif 000003
【図２】
0003163954.tif 000004
【図３】
0003163954.tif 000005
【図４】
0003163954.tif 000006
【図５】
0003163954.tif 000007
【図６】
0003163954.tif 000008
【手続補正書】
【提出日】平成22年6月3日(2010.6.3)
【手続補正１】
【補正対象書類名】実用新案登録請求の範囲
【補正対象項目名】全文
【補正方法】変更
【補正の内容】
【実用新案登録請求の範囲】
【請求項１】
（１）左右にスライドするカウンターテーブル、
（２）スライドカウンターの下に流し台が設けられている、
（３）スライドカウンターには調理台又は園芸作業台が設けてある、
（４）調理台又は園芸作業台の下に水受トレイが設けられている、水受トレイには流し台に水を流す排水口がある、
（５）カウンターに取り外しできるコンロを備える、コンロを取り外して鉢植えを据える、鉢植えを観賞するガーデニングテーブル、
（６）流し台に簡易的給水接続できる給水栓が着いている、
（７）流し台の下に簡易的排水接続できる配水管と設置できる排水タンクが設けられている、
（８）本体に車輪が着装からなる移動式のガーデニングキッチン。
【手続補正書】
【提出日】平成22年8月20日(2010.8.20)
【手続補正１】
【補正対象書類名】実用新案登録請求の範囲
【補正対象項目名】全文
【補正方法】変更
【補正の内容】
【実用新案登録請求の範囲】
【請求項１】
（１）左右にスライドするカウンターテーブルを備え、
（２）前記各カウンターテーブルの下に、流し台を設け、
（３）前記各カウンターテーブルに、調理台又は園芸作業台を設け、
（４）前記調理台又は園芸作業台の下に水受トレイを設け、かつ、水受トレイには流し台に水を流す排水口を設け、
（５）前記各カウンターテーブルには、取り外しできるコンロ、又は鉢植えを据えることが可能な部分を設け、
（６）前記流し台に、簡易的給水接続できる給水栓を設け、
（７）前記流し台の下に、簡易的排水接続できる配水管と、排水タンクを設け、
（８）車輪を着装した移動式のガーデニングキッチン。